(57)【要約】【課題】印刷に応じた料金が徴収される第１のユーザ群と該料金が徴収されない第２のユーザ群とで１台の装置を共用するような場合に、２つのユーザ群の夫々に対して、印刷済ジョブを削除するか否かを設定できるようにすること。【解決手段】本発明は、印刷ジョブに基づき記録媒体に画像を形成する画像形成装置であって、印刷に応じた料金が徴収される第１のユーザ群と、該料金が徴収されない第２のユーザ群との夫々に対し、印刷が完了した印刷済ジョブを削除するか否かを設定する設定手段を有することを特徴とする画像形成装置である。【選択図】図９
2018108701.tif 000002
【特許請求の範囲】
【請求項１】
印刷ジョブに基づき記録媒体に画像を形成する画像形成装置であって、
印刷に応じた料金が徴収される第１のユーザ群と、該料金が徴収されない第２のユーザ群との夫々に対し、印刷が完了した印刷済ジョブを削除するか否かを設定する設定手段を有することを特徴とする画像形成装置。
【請求項２】
前記画像形成装置と接続された情報処理装置から受信した印刷ジョブを、前記画像形成装置に留め置く留め置き手段と、
ユーザに情報を提示する表示手段と
を更に有することを特徴とする請求項１に記載の画像形成装置。
【請求項３】
前記画像形成装置は、前記第１のユーザ群と前記第２のユーザ群とで前記画像形成装置を共用する第１のモードと、前記画像形成装置を使用する全てのユーザに対して課金処理を行う第２のモードと、前記画像形成装置を使用する全てのユーザに対して課金処理を行わない第３のモードとの何れかで動作することを特徴とする請求項２に記載の画像形成装置。
【請求項４】
前記画像形成装置が前記第１のモードで動作している場合、前記表示手段は、前記第１のユーザ群に対する印刷済ジョブを削除するか否かの設定を行う領域、及び、前記第２のユーザ群に対する印刷済ジョブを削除するか否かの設定を行う領域、を有するＵＩ画面を表示することを特徴とする請求項３に記載の画像形成装置。
【請求項５】
前記第１のユーザ群のユーザは、前記画像形成装置に接続された課金装置に前記料金を投入することで前記画像形成装置にログインし、
前記第２のユーザ群のユーザは、ＩＤと該ＩＤに対応するパスワードとを入力することで前記画像形成装置にログインすることを特徴とする請求項２乃至４の何れか１項に記載の画像形成装置。
【請求項６】
前記表示手段は、ログイン画面を表示し、
前記ログイン画面は、前記第１のユーザ群のユーザに対して前記料金の投入を促すメッセージ、並びに、前記第２のユーザ群のユーザが該ユーザのＩＤ及びパスワードを入力する入力ボックス、を有することを特徴とする請求項５に記載の画像形成装置。
【請求項７】
前記表示手段は、前記画像形成装置にログインしているユーザによって前記画像形成装置に入力され、留め置きされている印刷ジョブを選択する選択用ＵＩ画面を表示することを特徴とする請求項２乃至６の何れか１項に記載の画像形成装置。
【請求項８】
前記第２のユーザ群に対して、前記印刷済ジョブを削除しないと設定され、かつ、前記画像形成装置にログインしているユーザが、前記第２のユーザ群のユーザである場合、前記表示手段は、前記ログインしているユーザの前記印刷済ジョブのリスト、及び、当該ユーザのまだ一度も印刷されていない印刷ジョブである印刷待ちジョブのリスト、を表示する前記選択用ＵＩ画面を表示することを特徴とする請求項７に記載の画像形成装置。
【請求項９】
前記画像形成装置にログインしている前記第１のユーザ群のユーザは、前記表示手段に表示されるログアウトボタンを押下すること、又は、前記画像形成装置に接続された課金装置の返却ボタンを押下することにより、前記画像形成装置からログアウトし、
前記画像形成装置にログインしている前記第２のユーザ群のユーザは、前記表示手段に表示されるログアウトボタンを押下することにより、前記画像形成装置からログアウトすることを特徴とする請求項２乃至８の何れか１項に記載の画像形成装置。
【請求項１０】
ジョブを削除する削除手段を更に有し、
前記第１のユーザ群に対して、前記印刷済ジョブを削除すると設定された場合、前記削除手段は、前記第１のユーザ群のユーザの印刷済ジョブを削除し、
前記第２のユーザ群に対して、前記印刷済ジョブを削除しないと設定された場合、前記削除手段は、前記第２のユーザ群のユーザの印刷済ジョブを削除しないことを特徴とする請求項１乃至９の何れか１項に記載の画像形成装置。
【請求項１１】
前記削除手段は、前記印刷済ジョブに加えて、ジョブのキャンセルにより印刷が完了しなかったジョブも削除することを特徴とする請求項１０に記載の画像形成装置。
【請求項１２】
前記画像形成装置にログインしている前記第１のユーザ群のユーザがログアウトボタンを押下した場合、当該ユーザが前記画像形成装置に接続された課金装置の返却ボタンを押下した場合、又は、当該ユーザによって入力された印刷ジョブにパスワードが設定されていない場合、前記削除手段は、当該ユーザの印刷済ジョブを前記画像形成装置から削除することを特徴とする請求項１０又は１１に記載の画像形成装置。
【請求項１３】
印刷ジョブに基づき記録媒体に画像を形成する画像形成装置で実行される方法であって、
印刷に応じた料金が徴収される第１のユーザ群と、該料金が徴収されない第２のユーザ群との夫々に対し、印刷が完了した印刷済ジョブを削除するか否かを設定するステップを有することを特徴とする方法。
【請求項１４】
コンピュータに、請求項１３に記載の方法を実行させるための、プログラム。
【発明の詳細な説明】
【技術分野】
【０００１】
本発明は、印刷に応じた課金処理を行う画像形成装置における設定に関するものである。
【背景技術】
【０００２】
ＰＣ等の外部装置から印刷ジョブを画像形成装置に送信し、印刷後に印刷物のかすれといった理由から再度印刷したいという要望がある。そのような要望に対して、特許文献１では、印刷が完了した印刷済ジョブを画像形成装置から削除することなく保存し、画像形成装置の操作パネルからの印刷指示により、印刷済ジョブに基づく再印刷を可能にする技術（以下、リプリントと呼ぶ）が記載されている。
【先行技術文献】
【特許文献】
【０００３】
【特許文献１】特開２００１−０６３１５８号公報
【発明の概要】
【発明が解決しようとする課題】
【０００４】
しかしながら、特許文献１は、ユーザの種類毎に、リプリント機能を有効にするか否か（印刷済ジョブを削除しないか否か）を設定することを開示していない。そのため特許文献１に記載の技術では、一部のユーザに対してリプリント機能を使用可能にしつつ、一部のユーザに対してリプリント機能を使用不可にすることができない。
【０００５】
従って、例えば、印刷に応じた料金が徴収される第１のユーザ群と該料金が徴収されない第２のユーザ群とで１台の装置を共用するような場合に、２つのユーザ群の夫々に対して、印刷済ジョブを削除するか否かを設定することができないという課題がある。
【０００６】
そこで本発明は、上記の課題を鑑み、印刷に応じた料金が徴収される第１のユーザ群と、該料金が徴収されない第２のユーザ群との夫々に対して、印刷済ジョブを削除するか否かを設定可能とすることを目的とする。
【課題を解決するための手段】
【０００７】
本発明は、印刷ジョブに基づき記録媒体に画像を形成する画像形成装置であって、印刷に応じた料金が徴収される第１のユーザ群と、該料金が徴収されない第２のユーザ群との夫々に対し、印刷が完了した印刷済ジョブを削除するか否かを設定する設定手段を有することを特徴とする画像形成装置である。
【発明の効果】
【０００８】
本発明により、印刷に応じた料金が徴収される第１のユーザ群と、該料金が徴収されない第２のユーザ群との夫々に対して、印刷済ジョブを削除するか否かを設定できる。
【図面の簡単な説明】
【０００９】
【図１】印刷システムを説明する図
【図２】ＭＦＰのハードウェア構成を示すブロック図
【図３】ＭＦＰの外観を示す概略図
【図４】ＭＦＰの操作部を示す図
【図５】ログイン画面
【図６】印刷済ジョブ削除設定処理のフローチャート
【図７】印刷済ジョブ削除設定用ＵＩ画面
【図８】印刷済ジョブ削除設定用ＵＩ画面
【図９】半パブリックモードにおける印刷処理のフローチャート
【図１０】ジョブ選択用ＵＩ画面
【発明を実施するための形態】
【００１０】
以下、図面を参照しながら、発明の好適な実施形態を例示的に説明する。ただし、以下に記載されている構成要素の内容、相対配置等は、特定的な記載がない限りは、発明の範囲をそれらのみに限定する趣旨のものではない。
【００１１】
＜システムの構成について＞
図１（ａ）は、本実施例における画像形成装置を有する印刷システムの構成を示す図である。図示するように、印刷システムは、課金に対応したＭＦＰ（Ｍｕｌｔｉ  Ｆｕｎｃｔｉｏｎ  Ｐｅｒｉｐｈｅｒａｌ）１００と、課金装置１０１と、情報処理装置１１０とから構成される。尚、本明細書で画像形成装置とは、用紙等の記録媒体に画像を形成する装置であり、ＭＦＰ、プリンタ等が想定される。以下、画像形成装置がＭＦＰの場合について説明する。
【００１２】
本実施例におけるＭＦＰ１００は、一部のユーザに対して課金処理を行う一方、一部のユーザに対して課金処理を行わないモードで動作する。このモードを半パブリックモードと呼び、また、半パブリックモードでＭＦＰ１００を共用するユーザのうち、印刷時に料金が徴収されるユーザ群のユーザを課金対象ユーザと呼び、印刷時に料金が徴収されないユーザ群のユーザを課金非対象ユーザと呼ぶ。尚、ＭＦＰ１００は、ＭＦＰ１００を使用する全ユーザに対して課金するパブリックモード、又は、ＭＦＰ１００を使用する全ユーザに対して課金しないクローズドモードでも動作する。サービスマンや管理者は、ＭＦＰ１００を、半パブリックモードと、パブリックモードと、クローズドモードとの何れのモードで動作させるか設定する。
【００１３】
課金装置１０１は、印刷に要する料金を課金対象ユーザから徴収するための装置である。図１（ｂ）は課金装置１０１の上面図であり、図１（ｃ）は課金装置１０１の正面図である。通常、図１（ａ）に示すように課金装置１０１はＭＦＰ１００の近くに設置されており、課金対象ユーザは、印刷する用紙の枚数等に応じた金額を、課金装置１０１に印刷前に投入する必要がある。
【００１４】
情報処理装置１１０とは、処理能力を持つコンピュータのことであり、一般的なＰＣを始めとして、タブレット、デジタルカメラ、並びにその他の携帯及び据置端末等が想定される。それぞれの装置の主目的によって、情報処理装置が備える装置の内訳は変わるが、情報処理装置は概ねＣＰＵ、ＲＯＭ、ＲＡＭ、ＩＦ、入力装置、出力装置を備える。
【００１５】
本実施例におけるＭＦＰ１００は、漫画喫茶やインターネットカフェ等の店舗に設置されるものを想定している。以下、課金対象ユーザが、このような場所に設置された半パブリックモードのＭＦＰを使用して印刷する場合について検討する。課金対象ユーザである各ブースのユーザはまず、各ブースに設置された情報処理装置（例えばＰＣ）からＭＦＰにジョブを送信する。送信されたジョブはＭＦＰに一時的に保存される（留め置き）。その後、ＭＦＰの設置場所に移動したユーザは、ＭＦＰの近くに設置されている課金装置に硬貨、紙幣等を投入してＭＦＰにログインした上でＭＦＰを操作し、留め置きジョブの実行を指示する。これにより留め置きジョブの印刷処理が開始する。一方、課金非対象ユーザである店舗のスタッフは、情報処理装置からＭＦＰにジョブを送信する。その後スタッフは、ＭＦＰの設置場所に移動し、硬貨、紙幣等を投入することなく、ＩＤ及びパスワードを入力してＭＦＰにログインした上でＭＦＰを操作して、留め置きジョブの実行を指示する。これにより留め置きジョブの印刷処理が開始する。以上が、本実施例におけるＭＦＰで実行される留め置きジョブに基づく印刷処理の具体例である。尚、留め置きジョブに基づく印刷処理では通常、ＭＦＰにジョブを送信する際にパスワードを設定しておき、ユーザがＭＦＰの操作部を介してパスワードを入力することで、留め置きジョブを実行することが可能となる。また、ＭＦＰ１００へのジョブの入力は、情報処理装置１１０を用いてジョブを送信することの他に、印刷対象の原稿をＭＦＰ１００でスキャンすることで行っても良い。
【００１６】
＜ＭＦＰのハードウェア構成について＞
図２は、本実施例におけるＭＦＰ１００のハードウェア構成を示すブロック図である。
【００１７】
ＣＰＵ２０１は、ＲＡＭ２０３をワークメモリとして、ＲＯＭ２０２に格納されたプログラムを実行し、バス２２０を介して接続されているＭＦＰ１００の各構成要素を統括的に制御する。これにより、後述する様々な処理が実行される。ＲＯＭ２０２には、印刷処理を行うためのプログラムやテーブル、組み込みオペレーティングシステム（ＯＳ）プログラム等が格納される。本実施例では、ＲＯＭ２０２に格納されているプログラムは、ＲＯＭ２０２に格納されている組み込みＯＳの管理下で、スケジューリングやタスクスイッチ等のソフトウエア制御を行う。また、図６、図９等の本実施例におけるフローを実行するプログラムもＲＯＭ２０２に格納される。ＲＡＭ２０３は、ＳＲＡＭ（ｓｔａｔｉｃ  ＲＡＭ）等で構成され、プログラム実行時に作業領域が設けられる。ハードディスク２０４には、外部の情報処理装置１１０から送信されたジョブや印刷対象の画像データ等のデータが格納される。尚、前述のプログラムは、ＲＯＭ２０２ではなくハードディスク２０４に格納されても良い。また、ハードディスクは、ＭＦＰに内蔵されていても良いし、着脱可能なハードディスクがＭＦＰに外付けされていても良い。
【００１８】
操作部２０５は、液晶ディスプレイ、キーボード等から構成される（図４参照）。ユーザは、液晶ディスプレイに表示されるＵＩ画面やメッセージを見ることで、ＭＦＰ１００が提供する機能やＭＦＰ１００の状態等に関する情報の提示を受ける。またユーザは、キーボードや液晶ディスプレイに表示されるソフトキーを用いてＭＦＰ１００に指示を入力する。ユーザが操作部２０５を介して入力した指示の内容は、ＣＰＵ２０１に通知され、ＲＯＭ２０２、ＲＡＭ２０３、ハードディスク２０４等に蓄積される。
【００１９】
課金インターフェイス２０６は、ＭＦＰ１００と課金装置１０１とを接続する。例えば、課金対象ユーザが課金装置１０１に硬貨、紙幣等を投入した場合、投入された金額等の情報が、課金装置１０１から課金インターフェイス２０６経由でＣＰＵ２０１に通知されるようにしても良い。また、課金処理を行う場合、引き落とす料金の額等の情報が、ＣＰＵ２０１から課金インターフェイス２０６経由で課金装置１０１に通知されるようにしても良い。尚、図１では、ＭＦＰ１００とＭＦＰ１００の外部装置である課金装置１０１とが接続されている場合を説明したが、ＭＦＰと課金装置とが一体的に構成され、ＭＦＰの操作部にコインの投入口があるような実施形態も考えられる。
【００２０】
スキャナ部２０７は、原稿台に置かれた原稿を光学的に読み取ることで、印刷対象となる原稿の画像データを取得する。プリンタ部２０８はエンジン等で構成され、情報処理装置１１０から入力されたジョブの解析処理やスキャナ部２０７によるスキャン処理等により得た画像データに基づき、インク等の色材を用いて、用紙等の記録媒体上に実際に画像を形成する。フィニッシャ２０９は、画像が形成された用紙等の記録媒体に対するステイプル処理や折処理等の製本処理を実行する。
【００２１】
ネットワークインターフェース２１０は、イーサネット（登録商標）等の規格に則ってＭＦＰ１００と情報処理装置１１０とを接続し、ネットワークインターフェース２１０経由で、ＭＦＰ１００と情報処理装置１１０との間におけるデータの送受信が実行される。ユーザは、情報処理装置１１０を用いてＭＦＰ１００の機能を利用することが可能である。モデム２１１は、ＭＦＰ１００を公衆回線網に接続する。  
尚、図２では、ＭＦＰ１００が、スキャナ部２０７とプリンタ部２０８とフィニッシャ２０９とを備える場合を説明したが、スキャナ部とプリンタ部とフィニッシャとは夫々、単体の周辺機器として実現されＭＦＰに接続されていても良い。
【００２２】
図３は、本実施例におけるＭＦＰ１００の外観を示す概略図である。図示するように、操作部２０５は、スキャナ部２０７と一体的に構成されることが多い。スキャナ部２０７は、原稿台に置かれた原稿を照射し、ＣＣＤラインセンサを走査することで、原稿の画像データを取得する。この画像データを用いて、原稿がカラー原稿であるか否かを判定するカラー判定や、原稿のサイズを判定するサイズ判定等が実行される。
【００２３】
図４は、操作部２０５を示す図である。図示するように操作部２０５は、液晶ディスプレイ４０１と、スタートキー４０２と、ＬＥＤ４０３と、ストップキー４０４と、テンキー４０５と、ユーザモードキー４０６とを備える。
【００２４】
ユーザは、液晶ディスプレイ４０１に表示される、ＵＩ画面、メッセージ等を見ることで、ＭＦＰ１００が提供する機能やＭＦＰ１００の状態等に関する情報の提示を受ける。また、液晶ディスプレイ４０１に表示されるソフトキーがユーザによって押下された場合、何れのソフトキーが押下されたかを示す情報が、ＣＰＵ２０１に通知される。
【００２５】
スタートキー４０２は、原稿の読み取りや留め置きジョブの印刷等、ＭＦＰ１００に何らかの動作を開始させる場合に押下される。スタートキー４０２の中央部には、緑と赤との２色の光を発するＬＥＤ４０３が設けられており、ＬＥＤ４０３の色によって、スタートキー４０２の押下が有効であるか否かを示す。具体的には、ＬＥＤ４０３が緑色の光を発している場合、ユーザはスタートキー４０２を押下してＭＦＰ１００に何らかの動作を開始させることができる。一方、ＬＥＤ４０３が赤色の光を発している場合、ユーザがスタートキー４０２を押下してもＭＦＰ１００の動作は開始しない。ストップキー４０４は、実行中の動作を停止する場合に押下される。テンキー４０５は、印刷部数を設定する場合や、液晶ディスプレイ４０１に表示されている画面の切り替えを指示する場合に押下される。ユーザモードキー４０６は、ＭＦＰ１００の機器設定を行う場合に押下される。
【００２６】
＜ログイン画面について＞
図５は、液晶ディスプレイ４０１に表示されるログイン画面の一例である。図示するように、ログイン画面５０１には、ＩＤ入力ボックス５０２と、パスワード入力ボックス５０３と、ログインボタン５０４とが表示される。課金非対象ユーザは、操作部２０５を介して、ＩＤ入力ボックス５０２にＩＤを入力し、パスワード入力ボックス５０３にパスワードを入力した上で、ログインボタン５０４を押下する。すると、ＣＰＵ２０１は、入力されたＩＤ及びパスワードが正しいか判定する。具体的に説明すると、以下の表１に示すようなＩＤとこれに対応するパスワードとを保持するテーブルが、ＲＯＭ２０２、又は、ハードディスク２０４に格納されている。ＣＰＵ２０１は、入力されたＩＤ及びパスワードがこのテーブルに保持されているＩＤとこれに対応するパスワードとの何れかに一致するか判定することで、該入力されたＩＤ及びパスワードが正しいか判定する。入力されたＩＤ及びパスワードが正しいと判定された場合、ＣＰＵ２０１は、課金非対象ユーザがＭＦＰ１００にログインすることを許可する。これにより、課金非対象ユーザは、ＭＦＰ１００にログインすることができる。ここで、ＩＤ及びパスワードを用いてＭＦＰ１００にログインした課金非対象ユーザを、ＩＤユーザと呼ぶ。
【００２７】
【表１】
2018108701.tif 000003
【００２８】
また、ログイン画面５０１には、課金対象ユーザに硬貨等を投入するよう促すメッセージ５０５も表示される。課金対象ユーザは、硬貨、紙幣、電子マネー等、印刷処理に要する料金を課金装置１０１に投入することで、ＭＦＰ１００にログインすることができる。ここで、印刷処理に要する料金を課金装置１０１に投入してＭＦＰ１００にログインした課金対象ユーザを、コインユーザと呼ぶ。ＭＦＰ１００にログインしたユーザがコインユーザである場合、ＣＰＵ２０１は、該コインユーザのＩＤをＣｏｉｎとし、ＩＤユーザと区別して認識する。このように、ＣＰＵ２０１は、ＩＤユーザとコインユーザとを区別して認識することで、ＩＤユーザによる印刷処理が実行された場合に課金処理を行わない一方で、コインユーザによる印刷処理が実行された場合に課金処理を行う。
【００２９】
尚、ＭＦＰ１００にログインしたＩＤユーザ、又は、コインユーザは、液晶ディスプレイ４０１に表示されるログアウトボタンを押下してＭＦＰ１００からログアウトする。或いは、ＩＤユーザ、若しくは、コインユーザがＭＦＰ１００を操作しない非操作時間が所定の時間に達した場合、又は、コインユーザが課金装置１０１の返却ボタンを押下した場合に、ＭＦＰ１００からログアウトするようにしても良い。
【００３０】
＜印刷済ジョブ削除設定処理について＞
本実施例におけるＭＦＰ１００は、印刷処理が完了した印刷済ジョブに基づいて印刷するリプリント機能を有する。リプリント機能を有効にした場合、印刷済ジョブが削除されなくなり、ユーザは、印刷済ジョブの中から任意のジョブを選択して該選択したジョブに基づく印刷を実行できる。このようにリプリント機能は、過去に印刷した印刷済ジョブと同一のジョブをＭＦＰ１００に再度入力する必要がなくなる点で有用である。しかし、第三者が印刷済ジョブにアクセスする虞があるため、ＭＦＰ１００を使用した全てのユーザの印刷済ジョブを削除しないようにすることは、セキュリティの観点からは望ましくない。従って、ＭＦＰ１００において、ユーザの種類に応じたリプリント機能のＯＦＦ／ＯＮの設定、即ち、印刷済ジョブを削除するか否かを設定する印刷済ジョブ削除設定を行う。この印刷済ジョブ削除設定は、サービスマンや管理者によって、ＭＦＰ１００の設置時、又は、ＭＦＰ１００の運用開始時等に実行されることが望ましい。
【００３１】
図６は、本実施例における印刷済ジョブ削除設定処理のフローチャートである。印刷済ジョブ削除設定処理は、液晶ディスプレイに表示されるソフトキーである印刷済ジョブ削除設定ボタンがユーザによって押下された場合に開始する。
【００３２】
ステップＳ６０１において、ＣＰＵ２０１は、ＭＦＰ１００が半パブリックモードで動作しているか判定する。ステップＳ６０１の判定の結果が真の場合、ステップＳ６０２に進む。一方、該判定の結果が偽の場合、ステップステップＳ６０３に進む。
【００３３】
ステップＳ６０２において、ＣＰＵ２０１は、印刷済ジョブ削除設定用ＵＩ画面を、液晶ディスプレイ４０１に表示する。本ステップで表示する印刷済ジョブ削除設定用ＵＩ画面は、ＩＤユーザと、コインユーザとの夫々に対する印刷済ジョブ削除設定を行うためのＵＩ画面である。図７は、本ステップで表示するＵＩ画面の一例を示す図である。ＵＩ画面７０１は、ＩＤユーザに対する印刷済ジョブを削除するか否かの設定（印刷済ジョブ削除機能のＯＮ／ＯＦＦ設定）を行う領域７０２と、コインユーザに対する印刷済ジョブ削除機能のＯＮ／ＯＦＦ設定を行う領域７０３と、ＯＫボタン７０４とを有する。サービスマンや管理者は、ＵＩ画面７０１を介して、ＩＤユーザに対する印刷済ジョブ削除機能のＯＮ／ＯＦＦ設定、及び、コインユーザに対する印刷済ジョブ削除機能のＯＮ／ＯＦＦ設定を行う。
【００３４】
ステップＳ６０３において、ＣＰＵ２０１は、印刷済ジョブ削除設定用ＵＩ画面を、液晶ディスプレイ４０１に表示する。本ステップで表示する印刷済ジョブ削除設定用ＵＩ画面は、ＭＦＰ１００を使用する全てのユーザに対する印刷済ジョブ削除設定を行うためのＵＩ画面である。図８は、本ステップで表示するＵＩ画面の一例を示す図である。ＵＩ画面８０１は、全てのユーザに対する印刷済ジョブ削除機能のＯＮ／ＯＦＦ設定を行う領域８０２と、ＯＫボタン８０３とを有する。サービスマンや管理者は、ＵＩ画面８０１を介して、全てのユーザに対する印刷済ジョブ削除機能のＯＮ／ＯＦＦ設定を行う。
【００３５】
ステップＳ６０４において、ＣＰＵ２０１は、印刷済ジョブ削除設定用ＵＩ画面においてＯＫボタン（ＯＫボタン７０４、又は、ＯＫボタン８０３）が押下されたかを判定する。ステップＳ６０４の判定の結果が真の場合、ステップＳ６０５に進む。一方、該判定の結果が偽の場合、ＯＫボタンが押下されるまで待つ。
【００３６】
ステップＳ６０５において、ＣＰＵ２０１は、印刷済ジョブ削除設定用ＵＩ画面を介して入力された設定値を保存する。この設定値は、ＲＯＭ２０２、又は、ハードディスク２０４に格納される。
【００３７】
以上が、本実施例における印刷済ジョブ削除設定処理の内容である。
【００３８】
＜半パブリックモードにおける印刷処理について＞
図９は、本実施例に係る、半パブリックモードで動作中のＭＦＰ１００を使用して印刷する場合のフローチャートである。
【００３９】
ステップＳ９０１において、ＣＰＵ２０１は、ＭＦＰ１００にログインしたユーザがＩＤユーザであるか判定する。具体的にＣＰＵ２０１は、ログインしたユーザのＩＤを取得し、該取得したＩＤがＣｏｉｎでない場合、ログインしたユーザがＩＤユーザであると判定する。ステップＳ９０１の判定の結果が真の場合、ステップＳ９０２に進む。一方、該判定の結果が偽の場合、ステップＳ９０７に進む。
【００４０】
以下、ＭＦＰ１００にログインしたユーザがＩＤユーザの場合について説明する。
【００４１】
ステップＳ９０２において、ＣＰＵ２０１は、ジョブ選択用ＵＩ画面を、液晶ディスプレイ４０１に表示する。図１０は、本ステップで表示するジョブ選択用ＵＩ画面の例を示す図である。図１０（ａ）は、印刷待ちジョブタブ１００１が選択された結果、ログイン中のユーザの印刷待ちジョブのリスト１００２が表示された状態を示す。印刷待ちジョブとは、まだ一度も印刷されていない印刷ジョブである。
【００４２】
ユーザは、印刷待ちジョブのリスト１００２内のジョブの中から印刷するジョブを選択する。ここで、図１０（ａ）（又は、後述する図１０（ｂ））に示すＵＩ画面を介してユーザが選択したジョブを、選択ジョブと呼ぶ。ユーザが印刷待ちジョブのリスト１００２内のジョブの中からジョブを選択した状態で、印刷開始ボタン１００３を押下すると、選択ジョブの印刷処理が開始する。
【００４３】
一方、図１０（ｂ）は、印刷済ジョブタブ１００４が選択された結果、ログイン中のユーザの印刷済ジョブのリスト１００５が表示された状態を示す。印刷済ジョブとは、過去に印刷されたことがある印刷ジョブである。ユーザが、印刷済ジョブのリスト１００５内のジョブの中から印刷するジョブを選択した状態で、印刷開始ボタン１００３を押下すると、選択ジョブの印刷処理が開始する。尚、図１０（ｂ）に示すログイン中のユーザの印刷済ジョブのリスト１００５は、ログイン中のユーザに対する印刷済ジョブ削除設定の設定値がＯＦＦの場合に表示することが可能となる。ログイン中のユーザに対する印刷済ジョブ削除設定の設定値がＯＮの場合、印刷済ジョブタブ１００４は選択不可となり、ログイン中のユーザの印刷済ジョブのリスト１００５が表示されることはない。
【００４４】
ステップＳ９０３において、ＣＰＵ２０１は、印刷開始ボタン１００３が押下されたか判定する。ステップＳ９０３の判定の結果が真の場合、ステップＳ９０４に進む。一方、該判定の結果が偽の場合、印刷開始ボタン１００３が押下されるまで待つ。
【００４５】
ステップＳ９０４において、ＣＰＵ２０１は、プリンタ部２０８に選択ジョブの１ページ分の印刷処理を実行させる。
【００４６】
ステップＳ９０５において、ＣＰＵ２０１は、選択ジョブの全ページの印刷処理が完了したか判定する。ステップＳ９０５の判定の結果が真の場合、ステップＳ９０６に進む。一方、該判定の結果が偽の場合、ステップＳ９０４に戻り、まだ印刷されていないページの印刷処理を実行する。
【００４７】
ステップＳ９０６において、ＣＰＵ２０１は、ＩＤユーザに対する印刷済ジョブ削除設定の設定値を読み出して、該設定値がＯＮであるか判定する。ここで、ＩＤユーザに対する印刷済ジョブ削除設定の設定値とは、上述したように、図７に示すＵＩ画面を介して入力され、ＲＯＭ２０２（又はハードディスク２０４）に格納された値である。ステップＳ９０６の判定の結果が真の場合、選択ジョブを削除するステップＳ９１３に進む。一方、該判定の結果が偽の場合、選択ジョブを削除することなく一連の処理は終了する。
【００４８】
ステップＳ９１３において、ＣＰＵ２０１は選択ジョブを削除し、一連の処理は終了する。
【００４９】
次に、ＭＦＰ１００にログインしたユーザがコインユーザの場合について説明する。
【００５０】
ステップＳ９０７において、ＣＰＵ２０１は、ジョブ選択用ＵＩ画面（図１０参照）を、液晶ディスプレイ４０１に表示する。
【００５１】
ステップＳ９０８において、ＣＰＵ２０１は、印刷開始ボタン１００３が押下されたか判定する。ステップＳ９０８の判定の結果が真の場合、ステップＳ９０９に進む。一方、該判定の結果が偽の場合、印刷開始ボタン１００３が押下されるまで待つ。
【００５２】
ステップＳ９０９において、ＣＰＵ２０１はプリンタ部２０８に、選択ジョブの１ページ分の印刷処理を実行させる。
【００５３】
ステップＳ９１０において、ＣＰＵ２０１は、課金処理（具体的には、課金装置１０１に投入された金額からステップＳ９０９で実行した印刷処理に要する料金を引き落とす処理等）を実行する。
【００５４】
ステップＳ９１１において、ＣＰＵ２０１は、選択ジョブの全ページの印刷処理が完了したか判定する。ステップＳ９１１の判定の結果が真の場合、ステップＳ９１２に進む。一方、該判定の結果が偽の場合、ステップＳ９０９に戻り、まだ印刷されていないページの印刷処理を実行する。
【００５５】
ステップＳ９１２において、ＣＰＵ２０１は、コインユーザに対する印刷済ジョブ削除設定の設定値を読み出して、該設定値がＯＮであるか判定する。ここで、コインユーザに対する印刷済ジョブ削除設定の設定値とは、上述したように、図７に示すＵＩ画面を介して入力され、ＲＯＭ２０２（又はハードディスク２０４）に格納された値である。ステップＳ９１２の判定の結果が真の場合、選択ジョブを削除するステップＳ９１３に進む。一方、該判定の結果が偽の場合、選択ジョブを削除することなく一連の処理は終了する。
【００５６】
ステップＳ９１３において、ＣＰＵ２０１は選択ジョブを削除し、一連の処理は終了する。
【００５７】
以上が、本実施例に係る、半パブリックモードにおける印刷処理の内容である。
【００５８】
＜本実施例の効果について＞
以上説明したように、本実施例におけるＭＦＰにおいては、コインユーザとＩＤユーザとの夫々に対する印刷済ジョブ削除設定を行うことが可能である。従って、印刷済ジョブ削除設定の設定値を、コインユーザに対してはＯＮにし（リプリント機能を無効にする）、ＩＤユーザに対してはＯＦＦにする（リプリント機能を有効にする）ことが可能である。このように設定することで、不特定多数のユーザであることが前提のコインユーザの留め置きジョブは印刷後に削除されることとなるため、セキュリティが向上する一方、ＩＤユーザは、印刷済ジョブに基づく印刷処理が可能となるため利便性が向上する。
【００５９】
［その他の実施形態］
尚、上述の実施例では、全ページの印刷が完了したジョブを削除対象のジョブとしているが、ジョブのキャンセル等により、全ページの印刷処理が完了せずに終了したジョブも削除対象のジョブに含めて良い。
【００６０】
また、ＲＯＭ２０２（又はハードディスク２０４）の容量不足を防ぐために、ＭＦＰ１００に送信されてからの時間や、直近の印刷処理が完了してからの時間が所定の時間に達した印刷済ジョブについては、自動的に削除されるようにしても良い。
【００６１】
更に、上述の実施例では、コインユーザに対する印刷済ジョブ削除設定の設定値がＯＮの状態で、コインユーザの印刷ジョブの印刷が完了した場合に、印刷済ジョブをＭＦＰ１００から削除している（ステップＳ９１２でＹＥＳ→ステップＳ９１３）。ここで、次の何れかの条件を満たす場合に、ログイン中のコインユーザの印刷済ジョブを削除するようにＭＦＰ１００を設定できるようにしても良い。その条件とは、ログイン中のコインユーザによってログアウトボタンが押下されること、該ユーザによって課金装置１０１の返却ボタンが押下されること、又は、該ユーザによって送信された印刷ジョブにパスワードが設定されていないことである。
【００６２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018108701.tif 000004
【図２】
2018108701.tif 000005
【図３】
2018108701.tif 000006
【図４】
2018108701.tif 000007
【図５】
2018108701.tif 000008
【図６】
2018108701.tif 000009
【図７】
2018108701.tif 000010
【図８】
2018108701.tif 000011
【図９】
2018108701.tif 000012
【図１０】
2018108701.tif 000013